(57)【要約】【課題】部品点数が少なく工具保持回転ドラムへの取付・取り外しが容易に行え、しかも、工具保持回転ドラムに、より多くの工具を保持することが可能な転回式ツールポットを提供すること。【解決手段】工作機械自動工具交換装置の工具保持回転ドラムに工具を転回可能に支持するツールポットにおいて、ツールポット（１００）は、ツールを脱着自在に保持するツール支持部（１２０）と前記工具保持回転ドラムにボルト締付けされるドラム取付部（１４０）を有し、ドラム取付部は、ツール支持部の後端部に螺設される支持プレート（１４２）と支持プレートに軸支されるドラム取付用プレート（１４４）とからなり、ドラム取付用プレートを工具保持回転ドラムにボルト締付けすることにより、ツール支持部を工具保持回転ドラムに転回可能に支持する構造をしている。【選択図】    図２
2004345070.tif 000002
【特許請求の範囲】
【請求項１】
工作機械自動工具交換装置の工具保持回転ドラムにツールを転回可能に支持するツールポットにおいて、
該ツールポットは、前記ツールを脱着自在に保持するツール支持部と前記工具保持回転ドラムにボルト締付けされるドラム取付部を有し、
前記ドラム取付部は、前記ツール支持部の後端部に螺設される支持プレートと該支持プレートに軸支されるドラム取付用プレートとからなり、
該ドラム取付用プレートを前記工具保持回転ドラムの外周に沿ってボルト締付けすることにより、前記ツール支持部を前記工具保持回転ドラムの回転軸方向及び半径方向に転回可能に支持することを特徴とするツールポット。
【発明の詳細な説明】
【０００１】
【産業上の技術分野】
本発明は、工作機械自動工具交換装置の工具保持回転ドラムに工具を転回可能に支持するツールポットに関する。
【０００２】
【従来の技術】
従来、工作機械自動工具交換装置の工具保持回転ドラムに工具を転回可能に支持するツールポットとしては、図６に示したような構造のツールポット（３００）が汎用されている。このツールポット（３００）は、ツールを脱着自在に保持するツール支持部（３２０）と工具保持回転ドラム（４００）の正面に軸支されるドラム取付部（３４０）を有している。このドラム取付部（３４０）には、ドラムへの取付用ピン（４２０）が挿嵌されるブシュ（３６０）が設けられており、このブシュに挿嵌した取付用ピンを、ドラムの正面の外周に沿ってツールポットの略幅間隔で形成したツールポット取付用凹凸部の凸部（４００ａ）上に設けた半円弧状溝に挿入し、この溝の上部を前記半円弧状溝と同様の形状を有する溝を有した取付用プレート（４４０）で封鎖し、ボルト（４６０）で固定することにより、ツールポットを工具保持回転ドラムの正面に転回可能に軸支している。
【０００３】
【発明が解決しようとする課題】
このような従来のツールポットにあっては、工具保持回転ドラム（４００）に、ツールポット取付用凹凸部及び前記凸部（４００ａ）上に取付用ピン（４２０）を支持する半円弧状溝を切削加工により設ける必要があるため、工具保持回転ドラムの製造工数の増加を招いていた。また、ツールポットを工具保持回転ドラムに取り付けるためには、取付用ピン（４２０）と取付用プレート（４４０）とボルト（４６０）を必要とし、部品点数の増加を招いていた。さらに、１つのツールポットを外すのに、両側２個所の取付用プレート（４４０）を取り外す必要があり、作業が繁雑であった。しかも、ツールポットの工具保持回転ドラムに対する取り付け精度を向上させるためには、ツールポット取付用凹凸部及び前記凸部（４００ａ）上に設けた半円弧状溝の切削加工精度を向上させる必要があり、製造コスト増大の要因になっていた。また、ツールポットの両側に取付用プレートを設置するため、１つの工具保持回転ドラムに設置できるツールポットの数が少なくなっていた。
【０００４】
そこで、本発明の目的は、部品点数が少なく工具保持回転ドラムへの取付・取り外しが容易に行え、しかも、工具保持回転ドラムに、より多くの工具を保持することが可能な転回式ツールポットを提供することにある。
【０００５】
【課題を解決するための手段】
上記の目的を達成するため、本発明は、工作機械自動工具交換装置の工具保持回転ドラムにツールを転回可能に支持するツールポットにおいて、該ツールポットは、前記ツールを脱着自在に保持するツール支持部と前記工具保持回転ドラムにボルト締付けされるドラム取付部を有し、前記ドラム取付部は、前記ツール支持部の後端部に螺設される支持プレートと該支持プレートに軸支されるドラム取付用プレートとからなり、該ドラム取付用プレートを前記工具保持回転ドラムの外周に沿ってボルト締付けすることにより、前記ツール支持部を前記工具保持回転ドラムの回転軸方向及び半径方向に転回可能に支持する構造をしている。
【０００６】
【作用】
本発明は、工作機械自動工具交換装置の工具保持回転ドラムにツールを転回可能に支持するツールポットにおいて、ツールポットの構造を、ツールを脱着自在に保持するツール支持部と工具保持回転ドラムの外周に沿ってボルト締付けされるドラム取付部とから構成し、このドラム取付部を、前記ツール支持部の後端部に螺設される支持プレートと該支持プレートに軸支されるドラム取付用プレートとから構成したことにより、ドラム取付用プレートを前記工具保持回転ドラムにボルト締付けするだけで、ツール支持部を工具保持回転ドラムの回転軸方向及び半径方向に転回可能に支持する。
【０００７】
【発明の実施態様】
本発明の転回式ツールポットの一実施例について、図面を参照しつつ詳細に説明する。図１は、本発明に係る転回式ツールポットが使用される工作機械自動工具交換装置の一例を示す斜視図である。工作機械自動工具交換装置は、工具保持回転ドラム（２００）の外周に沿って、様々な加工を行うツール（Ｔ）をその先端を回転軸方向に向けて保持している。そして、これらのツール（Ｔ）は、転回式ツールポットによって、その先端を工具保持回転ドラム（２００）の回転軸方向と半径方向の間を転回可能に保持されている。工作機械に加工内容が指示されると工具保持回転ドラムの中から使用する工具を選び出し、ドラムを回転させて、その工具を工具脱着エリアに移動させる。そして、その工具を９０度外向きに転回させて、ツールポット（１２０）から抜き取られ、工作機械に装着される。
加工が終わると再び、ツールポットに戻されて、ドラムの軸方向に９０度転回され、工具保持回転ドラムの中に収容される。
【０００８】
次に、本発明の転回式ツールポットの実施の態様の一例について、図２及び図３に基づき詳述する。図２は、本発明の転回式ツールポットの平面図であり、（ａ）が上面図、（ｂ）が側面図、（ｃ）が、（ａ）に「←Ｃ」と示した方向から見たときの正面図である。
【０００９】
ツールポット（１００）は、ツールを脱着自在に保持するツール支持部（１２０）と工具保持回転ドラムにボルト締付けされるドラム取付部（１４０）を有しており、ドラム取付部（１４０）は、ツール支持部（１２０）の後端部に螺設される支持プレート（１４２）と該支持プレートに転回用支点ピン（１４６）によって軸支されるドラム取付用プレート（１４４）とからなっている。そして、図３に示したように、ドラム取付用プレート（１４４）を工具保持回転ドラム（２００）にボルト（２６０）によって締付け固定することにより、ツール支持部（１２０）を工具保持回転ドラム（２００）の外周側面上に略９０度転回可能に支持する構造をしている。
【００１０】
支持プレート（１４２）は、断面コ字状形状をしており、中間の面（１４２ａ）にツール支持部（１２０）の後端部が４本のボルト（１２２）により固定されている。ドラム取付用プレート（１４４）は、支持プレート（１４２）の対峙する二面（１４２ｂ），（１４２ｃ）の間にちょうど収まる大きさの断面コ字状形状をしており、対峙する二面間（１４４ａ），（１４４ｂ）にブシュ（１４８）が設置されている。そして、このブシュに転回用支点ピン（１４６）が遊嵌され、この転回用支点ピン（１４６）の両端が、支持プレート（１４２）の対峙する二面（１４２ｂ），（１４２ｃ）に圧入固着されている。その結果、支持プレート（１４２）が、ドラム取付用プレート（１４４）に対して、転回用支点ピン（１４６）を中心に転回可能に支持される。
【００１１】
そして、このドラム取付用プレート（１４４）が、二本のボルト（２６０）により、工具保持回転ドラム（２００）の外周側面に固定される。なお、符号（１５０）として示されている部材は、転回動作時に使用される太鼓ローラを示している。
【００１２】
次に、本発明の別の実施の態様について、図４及び図５に基づき詳述する。図４は、平面図であり、（ａ）が上面図、（ｂ）が側面図、（ｃ）が（ａ）に「←Ｃ」と示した方向から見たときの正面図である。
【００１３】
このツールポット（１００）では、支持プレート（１４２）が、ドラム取付用プレート（１４４）の外側において転回可能なように、ドラム取付用プレート（１４４）が、支持プレート（１４２）の対峙する２面の間に軸支されている。そして、このドラム取付用プレート（１４４）が２本のボルト（２６０）により、工具保持回転ドラム（２００）の外周正面に固設される。なお、符号（１６０）として示されている部材は、転回動作時に使用されるとともに、ガイドレールと転がり接触をするガイドローラを示している。
【００１４】
【発明の効果】
本発明に係る転回式ツールポットは、ツールを脱着自在に保持するツール支持部と工具保持回転ドラムにボルト締付けされるドラム取付部とから構成し、このドラム取付部を、前記ツール支持部の後端部に螺設される支持プレートと該支持プレートに軸支されるドラム取付用プレートとから構成したことにより、支持プレートに軸支されているドラム取付用プレートを工具保持回転ドラムにボルト締付けするだけで、ツールポットを工具保持回転ドラムに転回可能に支持することが可能になる。また、部品点数の削減、組立て工数の削減ができ、装置の製造原価を低減することが可能になる。さらに、ツールポットの両側に取付用プレートを設置する必要がないため、１つの工具保持回転ドラムに取り付けることができるツールポットの数を多くすることができる。
【図面の簡単な説明】
【図１】は、本発明に係る転回式ツールポットが使用されるの工作機械自動工具交換装置の斜視図を示す。
【図２】は、本発明に係る転回式ツールポットの一実施例を示す平面図である。
【図３】は、図２に示した転回式ツールポットの取付状態を示す図である。
【図４】は、本発明に係る転回式ツールポットの別の実施例を示す平面図である。
【図５】は、図４に示した転回式ツールポットの取付状態を示す図である。
【図６】は、従来方式の転回式ツールポットを示す図である。
【符号の説明】
１００，３００  ・・・  転回式ツールポット
１２０，３２０  ・・・  ツール支持部
１４０，３４０  ・・・  ドラム取付部
１４２  ・・・  支持プレート
１４４  ・・・  ドラム取付用プレート
１４６  ・・・  転回用支点ピン
１４８  ・・・  ブシュ
１５０  ・・・  太鼓ローラ
１６０  ・・・  ガイドローラ
２００  ・・・  工具保持回転ドラム
２６０  ・・・  ボルト
【図１】
2004345070.tif 000003
【図２】
2004345070.tif 000004
【図３】
2004345070.tif 000005
【図４】
2004345070.tif 000006
【図５】
2004345070.tif 000007
【図６】
2004345070.tif 000008